(57)【要約】【課題】  １種類の蓋体で、予め準備された形状の異なる複数種類の端子の位置決めに対応できる蓋体を備えた鉛蓄電池を提供する。【解決手段】  電槽の蓋体１に設けられた貫通穴２に極柱３が挿入され、極柱３が蓋体１の上面に開口する凹陥部４内に突出している。極柱３の上端部に、端子の取付部５ｂに形成された嵌合穴５ｃが嵌合され、極柱３の上端部と端子の取付部５ｂとが接合されて、凹陥部内４に封口剤６が充填されている鉛蓄電池である。本体が１種類の鉛蓄電池に対して形状の異なる複数種類の端子５ａ、５ａ’が予め準備され、凹陥部４内には、極柱３の上端部と嵌合穴５ｃとが嵌合して端子５ａ、５ａ’が所定位置にあるときに、それぞれの端子の外縁に当接することにより極柱３を軸とする端子の少なくとも一方向への回動を制止する位置決め部材８が複数種類の端子の形状のそれぞれに対応して設けられている。【選択図】  図1
2014002870.tif 000002
【特許請求の範囲】
【請求項１】
電槽の蓋体に設けられた貫通穴に挿入され前記蓋体の上面に開口する凹陥部内に突出する極柱の上端部に、端子の取付部に形成された嵌合穴が嵌合され、前記極柱の上端部と前記端子の取付部とが接合されて、前記極柱の上端部と前記端子の取付部とが収容された前記凹陥部内に封口剤が充填されている鉛蓄電池において、
前記鉛蓄電池に対して形状の異なる複数種類の端子が予め準備され、
前記凹陥部内には、極柱の上端部と端子の取付部に形成された嵌合穴とが嵌合して端子が所定位置にあるときに、端子の外縁に当接することにより前記極柱を軸とする端子の少なくとも一方向への回動を制止する位置決め部材が前記複数種類の端子の形状のそれぞれに対応して設けられていることを特徴とする鉛蓄電池。
【請求項２】
予め準備される端子は、嵌合穴を設けた基部から両側縁が平行に延びる取付部を断面Ｌ字形に上方へ折り曲げた形状の平板端子と、前記嵌合穴を設けた基部から先に向かって両側縁間隔が狭くなるように延びる取付部に立設した円柱又は円錐台形状の柱状端子の２種類であり、前記位置決め部材が、前記平行に延びる両側縁の少なくとも一方に当接する第１部材と、前記第１部材より両側縁間の中央寄りで前記間隔が狭くなるように延びる両側縁の少なくとも一方に当接する第２部材であることを特徴とする請求項１記載の鉛蓄電池。
【請求項３】
取付部に立設した形状が、円柱又は円錐台形状に代えて平板形状である請求項２記載の鉛蓄電池。
【請求項４】
第１部材と第２部材とは、相互に繋がっていることを特徴とする請求項２又は３記載の鉛蓄電池。
【発明の詳細な説明】
【技術分野】
【０００１】
本発明は鉛蓄電池に係り、特に、電槽の蓋体の上面に開口する凹陥部内へ突出する極柱と接合される端子の位置決め構造に関する。
【背景技術】
【０００２】
鉛蓄電池は、電槽に収容した極板群から立設した極柱が電槽の蓋体の貫通穴から突出しており、前記突出した極柱の上端部に端子が接合された構造を有している。
特許文献１（実開平０２−０４４２４８号公報）には、具体的に、以下の構成が開示されている。
【０００３】
図３（Ａ）（Ｂ）に示すように、電槽の蓋体１に貫通穴２が設けられている。極板群のストラップ（図示せず）から立設した極柱３が貫通穴２に挿入され、蓋体１の上面に開口する凹陥部４内に突出している。凹陥部４内に突出している極柱３の上端部に、端子５の取付部５ｂに形成された嵌合穴５ｃが嵌合され、極柱３の上端部と端子５の取付部５ｂとが、例えば、溶接により接合されて、極柱３の上端部と端子５の取付部５ｂとが収容された凹陥部４内に封口剤６が充填されている。
極柱３の上端部と端子５の取付部５ｂとが接合されるに当たっては、取付部５ｂに形成された嵌合穴５ｃが極柱３の上端部と嵌合した状態のときに、端子５が所定位置に位置決めされている必要がある。そこで、特許文献１には、凹陥部４の底部から上方に突出して付設された二つの相対する突起部７、７’が、取付部５ｂの幅方向の両側部に係合することによって、端子５の水平方向への変位を抑止する技術が開示されている。
【先行技術文献】
【特許文献】
【０００４】
【特許文献１】実開平０２−０４４２４８号公報
【発明の概要】
【発明が解決しようとする課題】
【０００５】
鉛蓄電池には、その端子に接続される導電線の種類によって、端子の形状変更を求められることがある。このような場合、鉛蓄電池の本体は同じであっても、形状の異なる複数種類の端子を準備し、要求に応じた形状の端子を選択して極柱と接合することになる。
しかしながら、上記特許文献に開示された技術では、極柱の上端部に嵌合した端子の位置決めのために、形状の異なる端子ごとに突起部７、７’の付設位置を変えた蓋体を準備しなければならない。端子形状に合わせた蓋体を成形するために複数の金型が必要になるとともに、複数の蓋体を管理する工数も増えてしまう。
【０００６】
上記の点に鑑み、本発明が解決しようとする課題は、１種類の蓋体で、予め準備された形状の異なる複数種類の端子の位置決めに対応できる蓋体を備えた鉛蓄電池を提供することである。
【課題を解決するための手段】
【０００７】
本発明が対象とする鉛蓄電池は、次のような基本構成を有している。
すなわち、電槽の蓋体に設けられた貫通穴に極柱が挿入され、この極柱が前記蓋体の上面に開口する凹陥部内に突出している。そして、その極柱の上端部に、端子の取付部に形成された嵌合穴が嵌合され、極柱の上端部と端子の取付部とが接合されて、極柱の上端部と端子の取付部とが収容された前記凹陥部内に封口剤が充填されている鉛蓄電池である。
【０００８】
本発明は、このような鉛蓄電池において、上記課題を解決するために、本体が１種類の鉛蓄電池に対して形状の異なる複数種類の端子が予め準備されており、前記凹陥部内には、極柱の上端部と端子の取付部に形成された嵌合穴とが嵌合して端子が所定位置にあるときに、端子の外縁に当接することにより前記極柱を軸とする端子の少なくとも一方向への回動を制止する位置決め部材が前記複数種類の端子の形状のそれぞれに対応して設けられていることを特徴とする（請求項１）。
【０００９】
上記において、予め準備される端子は、嵌合穴を設けた基部から両側縁が平行に延びる取付部を断面Ｌ字形に上方へ折り曲げた形状の平板端子と、前記嵌合穴を設けた基部から先に向かって両側縁間隔が狭くなるように延びる取付部に立設した円柱又は円錐台形状の柱状端子の２種類であり、前記位置決め部材が、前記平行に延びる両側縁の少なくとも一方に当接する第１部材と、前記第１部材より両側縁間の中央寄りで前記間隔が狭くなるように延びる両側縁の少なくとも一方に当接する第２部材である（請求項２）。
【００１０】
上記請求項２の発明における円柱又は円錐台形状の柱状端子は、円柱又は円錐台形状の代わりに平板形状であってもよい（請求項３）。
【００１１】
さらに、上記請求項２又は３の発明において、前記第１部材と第２部材とは、相互に繋がっていることが好ましい（請求項４）。
【発明の効果】
【００１２】
本発明によれば、本体が１種類の鉛蓄電池に対して形状の異なる複数種類の端子が予め準備されている場合に、極柱の上端部と端子の取付部に形成された嵌合穴とが嵌合して端子が所定位置にあるときに、前記形状の異なるそれぞれの端子の外縁に対応して当該外縁に当接して前記極柱を軸とする端子の少なくとも一方向への回動を制止する位置決め部材が蓋体の凹陥部内に配置されているので、１種類の蓋体を準備すれば済むという効果を得ることができる。
形状の異なる複数種類の端子のそれぞれの外縁に当接する部材同士が相互に繋がって位置決め部材が構成されているときは、凹陥部内に配置された置決め部材の強度を大きくできるので好都合である。
【図面の簡単な説明】
【００１３】
【図１】本発明の実施の形態を示す端子位置決め構造の要部上面図である。
【図２】本発明の実施の形態で用いる形状の異なる２種類の端子の斜視図である。
【図３】従来の端子固定手段の一例を示し、（Ａ）は要部縦断面図、（Ｂ）は（Ａ）の要部平面図である。
【図４】鉛蓄電池（制御弁式鉛蓄電池）の構造を示す概略図である。
【発明を実施するための形態】
【００１４】
以下、図面を参照して、本発明の実施の形態について説明する。
図４は、本発明を適用する鉛蓄電池（制御弁式鉛蓄電池）の構成を示す一例である。負極板と正極板とを、その間にリテーナマットを挟んで交互に重ねた積層体とし、負極板の各集電耳部をまとめたストラップには負の極柱が立設され、正極板の各集電耳部をまとめたストラップには正の極柱が立設された極板群構成としている。この極板群が電槽に収容され、電槽の開口部に蓋体が接合される。蓋体の凹陥部に設けた貫通穴から、前記正と負の極柱が突出し、そのそれぞれの上端部に正と負の端子が接合されている。前記凹陥部は、極柱と端子の接合部を埋めるように充填剤で満たされている。蓋体には、所定の電池内圧で可逆的に開閉する制御弁を備えた排気栓が装着されている。
【００１５】
極柱と端子の接合部位は、先に、図３（Ａ）（Ｂ）に基づいて説明したとおりである。すなわち、電槽の蓋体１に凹陥部４が形成されており、凹陥部４の底面に設けた貫通穴２から凹陥部４内へ極柱３が突出している。なお、図３（Ａ）では、貫通穴２が凹陥部４の底面に直接設けられた構成を示しているが、貫通穴を設けた鉛又は鉛合金製のブッシングを蓋体１にインサート成形しておき、このブッシングの貫通穴から凹陥部４内へ極柱３を突出させてもよい。
凹陥部４内に突出している極柱３の上端部に、端子５の取付部５ｂに形成された嵌合穴５ｃが嵌合され、極柱３の上端部と端子５の取付部５ｂとが、例えば、溶接により接合されて、極柱３の上端部と端子５の取付部５ｂとが収容された凹陥部４内にエポキシ樹脂等の封口剤６が充填されている。
【００１６】
以下に説明する実施の形態は、本体が１種類の鉛蓄電池に対して予め準備される形状の異なる端子が２種類の場合についてである。
形状の異なる２種類の端子の一つは、例えば、図２（Ａ）に示すように、嵌合穴５ｃを設けた基部から両側縁が平行に延びる取付部５ｂを断面Ｌ字形に上方へ折り曲げた形状の平板端子５ａである。
他の一つは、図２（Ｂ）に示すように、嵌合穴５ｃを設けた基部から先に向かって両側縁間隔が狭くなるように延びる取付部５ｂに円柱又は円錐台を立設した柱状端子５ａ’である。
【００１７】
１種類の鉛蓄電池に対し、用途に応じて、上記端子５ａを装着する場合と、端子５ａ’を装着する場合がある。
図１（Ａ）に示すように、極柱３の上端部と端子５ａの取付部５ｂに形成された嵌合穴５ｃとが嵌合し、端子５ａが所定位置にあるときには、凹陥部４内に配置された第１部材８ａが端子５ａの取付部５ｂの外縁に当接する。従って、第１部材８ａは、端子５ａが極柱３を軸として一方向側へ回動することを制止することができ、これによって、極柱３の上端部に取付部５ｂの嵌合穴５ｃを嵌合したときに、端子５ａの位置決めをすることが可能となる。第１部材８ａは、取付部５ｂを挟んで反対側の位置にも配置されてよく、この場合は、端子５ａが極柱３を軸として両方向へ回動することを制止することができる。
端子５ａに代えて端子５ａ’を用いる場合は、図１（Ｂ）に示すように、極柱３の上端部と端子５ｂの取付部５ｂに形成された嵌合穴５ｃとが嵌合し、端子５ａ’が所定位置にあるときには、凹陥部４内に配置された第２部材８ｂが端子５ａ’の外縁に当接する。すなわち、第２部材８ｂの配置は、第１部材８ａの配置より、取付部５ｂの両側縁間の中央寄りとなっている。従って、第２部材８ｂは、端子５ａ’が極柱３を軸として一方向側へ回動することを制止することができ、これによって、極柱３の上端部に取付部５ｂの嵌合穴５ｃを嵌合したときに、端子５ａ’の位置決めをすることが可能となる。第２部材８ｂは、取付部６を挟んで反対側の位置にも配置されてよく、この場合は、端子５ａ’が極柱３を軸として両方向へ回動することを制止することができる。
位置決め部材８は、上記の第１部材８ａと第２部材８ｂとで構成され、凹陥部４内に配置されており、本体が１種類の鉛蓄電池に対して予め準備される形状の異なる２種類の端子５ａと５ａ’のいずれを適用する場合にも対応可能となっている。
【００１８】
上記の位置決め部材８は、第１部材８ａと第２部材８ｂを相互に繋げて構成することが好ましく、本発明の実施の形態では第１部材８ａと第２部材８ｂとが鉤型形状を構成している。そして、位置決め部材８が、取付部５ｂを挟んで対称に配置されている。第１部材８ａと第２部材８ｂを相互に繋げて鉤型形状に構成することにより、凹陥部内に配置された置決め部材８の強度は、第１部材８aと第２部材８bとが個々に独立して配置されている場合より大きくすることができる。上記実施の形態で説明した端子５ａ’は、円柱又は円錐台形状の代わりに平板形状であってもよい。
【符号の説明】
【００１９】
１  蓋体
２  貫通穴
３  極柱
４  凹陥部
５  端子
５ａ  平板端子
５ａ’  柱状端子
５ｂ  取付部
５ｃ  嵌合穴
６  封口剤
７、７’  突起部
８  位置決め部材
８ａ  第１部材
８ｂ  第２部材
【図１】
2014002870.tif 000003
【図２】
2014002870.tif 000004
【図３】
2014002870.tif 000005
【図４】
2014002870.tif 000006